(57)【要約】【課題】種々の視聴形態が可能なコンテンツ配信するサービスにおいて、広告映像の視聴機会の増大を図る。【解決手段】異なる配信形態によりコンテンツを配信するコンテンツ配信サービスシステムにおいて、配信要求に応じてコンテンツを配信する手段と、配信したコンテンツの視聴状況情報を取得する手段と、取得した視聴状況情報に基づいて、配信したコンテンツに含まれる広告が視聴されたかを判定する手段と、広告視聴の判定結果に基づいて、ポイントを付与する手段と、を備えることを特徴とする。【選択図】図１
2010239584.tif 000002
【特許請求の範囲】
【請求項１】
異なる配信形態によりコンテンツを配信するシステムであって、
配信要求に応じてコンテンツを配信する手段と、
配信したコンテンツの視聴状況情報を取得する手段と、
取得した視聴状況情報に基づいて、配信したコンテンツに含まれる広告が視聴されたかを判定する手段と、
広告視聴の判定結果に基づいて、ポイントを付与する手段と、
を備えることを特徴とするコンテンツ配信サービスシステム。
【請求項２】
利用者のポイントに基づいて、コンテンツ配信の課金を行う、
ことを特徴とする請求項１に記載のコンテンツ配信サービスシステム。
【請求項３】
ライブ視聴の配信形態で利用者がすべての広告を視聴した場合に、当該ライブ視聴に対する課金の全額に相当するポイントを付与し、当該ポイントの総数に相当する金額を、ライブ視聴後のダウンロード視聴のコンテンツ配信に対する課金から差し引く、
ことを特徴とする請求項２に記載のコンテンツ配信サービスシステム。
【請求項４】
異なる配信形態によりコンテンツを配信するシステムにおいて実行される方法であって、
配信要求に応じてコンテンツを配信するステップと、
配信したコンテンツの視聴状況情報を取得するステップと、
取得した視聴状況情報に基づいて、配信したコンテンツに含まれる広告が視聴されたかを判定するステップと、
広告視聴の判定結果に基づいて、ポイントを付与するステップと、
を備えることを特徴とするコンテンツ配信サービス方法。
【請求項５】
配信要求に応じてコンテンツを配信するステップと、
配信したコンテンツの視聴状況情報を取得するステップと、
取得した視聴状況情報に基づいて、配信したコンテンツに含まれる広告が視聴されたかを判定するステップと、
広告視聴の判定結果に基づいて、ポイントを付与するステップと、を実行させることにより、
コンピュータを、
異なる配信形態によりコンテンツを配信するシステムにおける配信管理サーバとして機能させることを特徴とするプログラム。
【発明の詳細な説明】
【技術分野】
【０００１】
本発明は、映像コンテンツの配信サービスを提供するコンテンツ配信サービスシステム、方法及びプログラムに関する。
【背景技術】
【０００２】
近年、映像コンテンツを種々の形態（ライブ、ＶＯＤ、ダウンロード等）により配信するサービスが考案されている。また、次世代ネットワーク（ＮＧＮ）の整備に向けて配信サービスが活発化している。このようなサービスにおいて配信されるコンテンツには、その配信の形態に応じて広告のコンテンツが含められる。
【０００３】
例えば、特許文献１には、ユーザが視聴することを求めるコンテンツとともに、広告コンテンツを配信するシステムが記載されている。
【先行技術文献】
【特許文献】
【０００４】
【特許文献１】特開２００７−０８０１５８号公報
【発明の概要】
【発明が解決しようとする課題】
【０００５】
上記のようなコンテンツ配信システムでは、種々の視聴形態によるコンテンツ配信が可能であるが、これらの視聴形態のうち、ライブ視聴には広告が含まれる。これは、ライブにより視聴する場合であれば視聴者が広告の視聴も同時に行うので、広告の効果が高いからである。
【０００６】
これに対し、ダウンロード視聴については利用者がダウンロードしたコンテンツをいつ視聴するかが分からないので、広告を含めないのが一般的である。
このようなコンテンツ配信の形態における異なる性質を考慮しつつ、広告映像の視聴機会を増大させることができる仕組みを実現させることが業界から望まれていた。
【０００７】
本発明は、上記問題点に鑑みてなされたもので、種々の視聴形態が可能なコンテンツを配信するサービスにおいて、広告映像の視聴機会の増大を図るコンテンツ配信サービスシステム、方法及びプログラムを提供することを目的とする。
【課題を解決するための手段】
【０００８】
上記目的を達成するために、本発明の第１の観点に係るコンテンツ配信サービスシステムは、
異なる配信形態によりコンテンツを配信するシステムであって、
配信要求に応じてコンテンツを配信する手段と、
配信したコンテンツの視聴状況情報を取得する手段と、
取得した視聴状況情報に基づいて、配信したコンテンツに含まれる広告が視聴されたかを判定する手段と、
広告視聴の判定結果に基づいて、ポイントを付与する手段と、
を備えることを特徴とする。
【０００９】
また、本発明の第２の観点に係るコンテンツ配信サービス方法は、
異なる配信形態によりコンテンツを配信するシステムにおいて実行される方法であって、
配信要求に応じてコンテンツを配信するステップと、
配信したコンテンツの視聴状況情報を取得するステップと、
取得した視聴状況情報に基づいて、配信したコンテンツに含まれる広告が視聴されたかを判定するステップと、
広告視聴の判定結果に基づいて、ポイントを付与するステップと、
を備えることを特徴とする。
【００１０】
また、本発明の第３の観点に係るプログラムは、
配信要求に応じてコンテンツを配信するステップと、
配信したコンテンツの視聴状況情報を取得するステップと、
取得した視聴状況情報に基づいて、配信したコンテンツに含まれる広告が視聴されたかを判定するステップと、
広告視聴の判定結果に基づいて、ポイントを付与するステップと、を実行させることにより、
コンピュータを、
異なる配信形態によりコンテンツを配信するシステムにおける配信管理サーバとして機能させることを特徴とする。
【発明の効果】
【００１１】
本発明によれば、広告映像の視聴機会の増大を図るコンテンツ配信サービスシステム、方法及びプログラムを提供することができる。
【図面の簡単な説明】
【００１２】
【図１】本発明の実施形態に係るコンテンツ配信サービスシステムの全体構成を示す図である。
【図２】図１のコンテンツ配信サービスシステムにおける配信管理サーバの機能ブロック図である。
【図３】図１のコンテンツ配信サービスシステムにおける受信機の表示装置に表示される画面の例を示す図である。
【図４】ライブ視聴によるコンテンツの配信を説明するためのシーケンスチャートである。
【図５】ダウンロードによるコンテンツの配信を説明するためのシーケンスチャートである。
【発明を実施するための形態】
【００１３】
以下、本発明の実施形態に係るコンテンツ配信サービスシステムについて図面を参照して説明する。
図１に示すように、コンテンツ配信サービスシステム１は、受信機１０と、配信管理サーバ２０と、を備え、これらはＬＡＮやインターネット等のネットワーク３０により接続されている。
【００１４】
受信機１０は、コンテンツを受信して視聴するための端末装置であり、パーソナルコンピュータ等の一般的なコンピュータから構成される。
【００１５】
その構成は、一般的なものであるので、図示はしないが、ＣＰＵ（Central Processing Unit）、ＲＯＭ（Read Only Memory）、ＲＡＭ（Random Access Memory）等を含む制御部と、ハードディスク装置等を含む記憶部と、液晶ディスプレイ等を含む表示部と、キーボードやマウス等を含む入力部と、ＮＩＣ(Network Interface Card)、ルータ、モデム等を含む通信制御部と、を備えるものである。
【００１６】
受信機１０の制御部は、記憶部に記憶されるプログラム等を実行することにより、配信管理サーバ２０にコンテンツの配信を要求し、コンテンツを視聴するための処理を行う。
【００１７】
ライブ視聴、タイムシフト視聴、オンデマンド視聴の場合、受信機１０は、コンテンツを受信し、受信したコンテンツを順次再生する。この再生処理において受信機１０は所定時間毎に視聴状況（現在この部分を再生中という情報）を配信管理サーバ２０に送信する。
【００１８】
また、ダウンロード視聴の場合、受信機１０は、コンテンツを受信して記憶部に記憶し、利用者により入力された再生指示に応答して再生する。
【００１９】
配信管理サーバ２０は、ＣＰＵ、ＲＯＭ、ＲＡＭ等から構成される制御部と、ハードディスク装置等から構成され、制御部が実行するための動作プログラム及び処理に必要な各種データ等が記憶される記憶部と、ＮＩＣやルータ、モデム等の通信装置から構成される通信部と、を備える一般的なコンピュータから構成される。
【００２０】
図２に配信管理サーバ２０の機能ブロック図を例示する。配信管理サーバ２０の制御部は、記憶部に予め記憶された動作プログラム等を読み出して実行することにより、視聴履歴管理部２２、コンテンツ配信部２３、視聴チェック部２４、課金処理部２５等を論理的に実現する。
【００２１】
視聴履歴管理部２２は、各利用者の視聴履歴２６を生成して記憶する。視聴履歴２６は、視聴したコンテンツ、視聴の開始時刻、終了時刻等の情報を、視聴形態毎に備える。
コンテンツ配信部２３は、受信機１０から受信した視聴要求に応じて、要求されたコンテンツ２７を記憶部から読み出して要求元に配信する。その際、コンテンツ２７は他のコンピュータ（図示省略）から取得してもよい。
【００２２】
視聴チェック部２４は、受信機１０から受信した視聴要求がライブ視聴を示す場合に、受信機１０から所定時間毎に送信されてくる視聴状況情報に基づいて、広告が再生されたか否かを判定し、広告が再生される毎に視聴ポイントを付与する。
【００２３】
具体的には、視聴されているコンテンツについて広告が挟まれている位置（広告位置）の情報を、記憶部に記憶されている広告関連情報２８から取得し、受信機１０でのコンテンツの再生位置が広告位置を通過したかを判定し、各広告位置を通過する毎に、利用者のそのコンテンツの視聴ポイントに所定ポイント（例えば１０ポイント）を加算する。
【００２４】
課金処理部２５は、受信機１０からの視聴要求に応じて、コンテンツの視聴金額をユーザの口座から差し引くための処理を行う。
【００２５】
具体的には、記憶部に記憶されている視聴金額テーブル（図示省略）を参照してコンテンツＩＤと視聴形態とから視聴金額を特定する。このとき、視聴コンテンツについて利用者が視聴ポイントを保有しているかを視聴ポイントテーブル２９を参照してチェックし、ポイントがある場合にはそのポイント値に応じて視聴金額を割り引いて算出する。
【００２６】
そして、視聴金額をユーザの口座から引き落とすための決済要求を所定のコンピュータ（ユーザの口座を管理するコンピュータ等）に送信する。なお、配信管理サーバ２０がユーザの口座を管理する場合には、ユーザの口座から視聴金額を差し引いてもよい。
【００２７】
次に、本実施形態に係るコンテンツ配信システムの処理動作について説明する。
【００２８】
まず、利用者があるコンテンツＡについてライブ視聴する場合の処理動作について説明する。
受信機１０の表示装置において、図３に示すように、操作用の画面を表示する。
【００２９】
図示の例では、コンテンツＡ、Ｂなどの選択をするボタン１１、２１、ライブ視聴かダウンロード視聴かを選択するボタン１２、１３などが表示される。この画面により、ユーザは、ボタン１１と１２をクリックしてコンテンツＡのライブ視聴を選択する操作を行う。
【００３０】
すると、図４に示すように、受信機１０は配信管理サーバ２０に配信要求を送信する（ステップＳ１）。
配信管理サーバ２０は、配信要求を受信すると、記憶部からコンテンツＡを読み出して受信機１０に配信する（ステップＳ２）。
【００３１】
受信機１０は、コンテンツＡのライブ視聴中においては、配信管理サーバ２０に対して所定時間毎に現在の再生位置を報告する（ステップＳ３）。
配信管理サーバ２０は、再生位置が広告位置を通過したか否かをチェックする（ステップＳ４）。
【００３２】
そして、各広告位置を通過するたびにポイントを加算する。
例えば、広告位置が１０カ所あるとし、各々の箇所を通過するたびに、１０ポイントを加算するとする。
すると、すべてを通過した場合、合計１００ポイントとなる。
【００３３】
この合計ポイントは、視聴ポイントテーブル２９に記憶する。
【００３４】
次に、コンテンツＡをライブ視聴した利用者が、そのコンテンツを気に入り、ダウンロード視聴する場合の処理動作について説明する。
【００３５】
ユーザは、図３に示す画面により、ボタン１１と１３をクリックしてコンテンツＡのダウンロードを選択する。
すると、受信機１０は配信管理サーバ２０にダウンロード要求を送信する（ステップＳ１１）。
【００３６】
配信管理サーバ２０は、この要求を受信すると、受信機１０に対してコンテンツＡをダウンロードにより配信する（ステップＳ１２）。
【００３７】
そして、配信管理サーバ２０は、ユーザがコンテンツＡのライブ視聴を行っており、ポイントが貯まっているかを視聴ポイントテーブル２９を参照して調べる。例えば、１００ポイントが貯まっているとすると、１ポイント当たり１円として１００円をコンテンツＡの金額から引く。
【００３８】
このように同一コンテンツについてライブ視聴の後にダウンロード視聴を行うと、ライブ視聴で取得した１００ポイント（１００円分）により、ダウンロード視聴が例えば、３００円から２００円に減額され、結果として、ライブ視聴せずにダウンロード視聴した場合の金額と同額になる。
【００３９】
従って、利用者にとっては、ライブ視聴によりコンテンツを試してからダウンロード視聴した方が有利となるため、ライブ視聴の利用を推進することできる。これにより、ライブ視聴に含まれる広告映像の視聴機会の増大を図ることができる。
【００４０】
なお、本発明は種々の変形及び応用が可能である。
例えば、ライブ視聴しないでダウンロード視聴を行う場合と、ライブ視聴後にダウンロード視聴を行う場合とを同額としないで、後者を割引額とするようにしてもよい。これにより、視聴者はライブ視聴により得をすることになるので、ライブ視聴の利用をよりいっそう推進することでき、広告効果をさらに高めることができる。この場合、コンテンツの提供者は、広告主から高い広告料を得られるとすると、それにより割引分を補うことができる。
【００４１】
なお、この発明のシステムは、専用のシステムによらず、通常のコンピュータシステムを用いて実現可能である。例えば、上述の動作を実行するためのプログラムをコンピュータ読み取り可能な記録媒体（ＦＤ、ＣＤ−ＲＯＭ、ＤＶＤ等）に格納して配布し、該プログラムをコンピュータにインストールすることにより、配信管理サーバ２０等を構成してもよい。また、インターネット等のネットワーク上のサーバ装置が有するディスク装置に格納しておき、例えばコンピュータにダウンロード等するようにしてもよい。
【００４２】
また、上述の機能を、ＯＳが分担又はＯＳとアプリケーションの共同により実現する場合等には、ＯＳ以外の部分のみを媒体に格納して配布してもよく、また、コンピュータにダウンロード等してもよい。
【符号の説明】
【００４３】
１            コンテンツ配信サービスシステム
１０            受信機
２０            配信管理サーバ
２２            視聴履歴管理部
２３            コンテンツ配信部
２４            視聴チェック部
２５            課金処理部
２６            視聴履歴
２７            コンテンツ
２８            広告関連情報
２９            視聴ポイントテーブル
３０            ネットワーク
【図１】
2010239584.tif 000003
【図２】
2010239584.tif 000004
【図３】
2010239584.tif 000005
【図４】
2010239584.tif 000006
【図５】
2010239584.tif 000007